(57)【要約】【課題】  パネルへの位置決めを簡略化し、取付け作業を簡素化することができるパネル貫通型コネクタを提供する。【解決手段】  パネル５０に設けられた取付孔５１を挟んで、パネル５０両面からパネル５０を挟んだ一方側と他方側にそれぞれ配置され、且つパネル５０に設けた取付孔５１を通して互いに結合される雌コネクタ１０と雄コネクタとからなるパネル貫通型コネクタ１の雌コネクタ１０と雄コネクタの少なくともどちらか一方の取付孔内周面５３に対向する外周面３２に、取付孔５１挿入方向に沿って延設し、且つ基端部１２から先端部１３に向かって、取付孔内周面５３に沿いつつ、外周面３２から離れるように形成した可撓性を有する複数の保持リブ１１を突接し、パネル５０に取付けられた状態で、保持リブ１１を取付孔内周面５３に付勢保持する。【選択図】      図２
2006073479.tif 000002
【特許請求の範囲】
【請求項１】
パネルに設けられた取付孔を挟んで、パネル両面からパネルを挟んだ一方側と他方側にそれぞれ配置され、且つパネルに設けた取付孔を通して互いに結合される第１コネクタハウジングと第２コネクタハウジングとからなるパネル貫通型コネクタであって、
前記第１コネクタハウジングと第２コネクタハウジングの少なくともどちらか一方の前記取付孔内周面に対向する外周面に可撓性を有する複数の保持リブが突設され、
これら保持リブは該外周面に該コネクタハウジングの前記取付孔への挿入方向に沿って立設された基端部から該取付孔内周面の周方向に沿って延設され、
該コネクタハウジングが前記パネルに取付けられた状態で該取付孔内周面に該保持リブが当設するように配設されたことを特徴とするパネル貫通型コネクタ。
【請求項２】
請求項１記載のパネル貫通型コネクタにおいて、
前記保持リブが前記外周面に等間隔で設けられたことを特徴とするパネル貫通型コネクタ。
【請求項３】
請求項１、または請求項２に記載のパネル貫通型コネクタにおいて、
前記保持リブの先端側に、前記取付孔の開口縁部に係止される係止突起が設けられたことを特徴とするパネル貫通型コネクタ。
【請求項４】
請求項３記載のパネル貫通型コネクタにおいて、
前記係止突起の前記保持リブ基端側に付勢力調整部が設けられたことを特徴とするパネル貫通型コネクタ。
【請求項５】
請求項３、または請求項４に記載のパネル貫通型コネクタにおいて、
前記保持リブを有する前記コネクタハウジングの前記パネルに対向する面に設置され、且つ前記開口縁部に前記係止突起が係止された状態で、該パネルに対向する面と該パネルとの間で狭持されるシール部が設けられたことを特徴とするパネル貫通型コネクタ。
【発明の詳細な説明】
【技術分野】
【０００１】
本発明は、パネルを貫通して電線を配索する際に用いるパネル貫通型コネクタに関する。
【背景技術】
【０００２】
この種のパネル貫通型コネクタとしては、特許文献１に開示されたものがある。このパネル貫通型コネクタは、固定側の雌コネクタに、可撓ア−ムと抜け止めとを設け、パネルに設けられた取付孔に変位可能に取付けられるようにするとともに、雌コネクタの挿入側縁部に傾斜をつけて広げられた挿入孔を設け、相手側雄コネクタに、先端を先細りにしたガイド棒を設ける。さらに、挿入孔、ガイド棒にもそれぞれ電気端子を配置し、雄コネクタのガイド棒の電気端子が、雌コネクタの挿入孔内の電気端子のばね部に挟持されて接続するようにすることで、固定側のコネクタが、相手側コネクタにズレがあった場合や、双方コネクタに製作上の寸法誤差があった場合でも、正規の位置で嵌合がなされるようにして電気端子の接触不良や破損をなくすとともに、コネクタ本体のスペ−ス効率を向上させることができるものである。
【特許文献１】特開平９−１３９２５０号公報
【発明の開示】
【発明が解決しようとする課題】
【０００３】
しかしながら、前記従来のパネル貫通型コネクタでは、可撓アームの先端部に設けられた爪と抜止め２５によって、固定側の雌コネクタが取付孔に固定されているが、取付孔の中心に雌コネクタを保持するという技術思想がないため、相手側の雄コネクタに合わせて位置合わせするのみで、コネクタを取付孔の中心部に保持する位置決め機能を備えていない。
【０００４】
また、前記従来のパネル貫通型コネクタでは、雌コネクタを取付孔に取付ける際に、可撓アームの根元部に近いほど挿入力が大きくなるため、嵌合初期に要する力が大きくなり、取付作業性が悪い。
【０００５】
そこで、本発明は、前記した課題を解決すべくなされたものであり、取付作業性に優れ、取付孔の中心部に位置決めすることができるパネル貫通型コネクタを提供することを目的とする。
【課題を解決するための手段】
【０００６】
請求項１の発明は、パネルに設けられた取付孔を挟んで、パネル両面からパネルを挟んだ一方側と他方側にそれぞれ配置され、且つパネルに設けた取付孔を通して互いに結合される雌コネクタと雄コネクタとからなるパネル貫通型コネクタであって、前記雌コネクタと雄コネクタの少なくともどちらか一方の前記取付孔内周面に対向する外周面に可撓性を有する複数の保持リブが突設され、これら保持リブは該外周面に前記コネクタの前記取付孔への挿入方向に沿って立設された基端部から該取付孔内周面の周方向に沿って延設され、該コネクタが前記パネルに取付けられた状態で該取付孔内周面に該保持リブが当設するように配設されたことにより、取付孔に当該コネクタを挿入することで当該コネクタの位置決めが行えるため、パネルへの位置決めを簡略化することができるとともに、取付孔に当該コネクタを挿入する際に要する力を最初から最後まで同等にすることができるので、取付け作業を簡素化することができる。
【０００７】
請求項２の発明は、請求項１記載のパネル貫通型コネクタにおいて、前記保持リブが前記外周面に等間隔で設けられたことにより、取付孔内周面に対して付勢保持される力がそれぞれ均一となるため、コネクタを取付孔に挿入することで取付孔に対してコネクタの中心出しができるので、パネルへのコネクタの位置決めをより確実に行うことができる。
【０００８】
請求項３の発明は、請求項１、または請求項２に記載のパネル貫通型コネクタにおいて、前記保持リブの先端側に、前記取付孔の開口縁部に係止される係止突起が設けられたことを特徴とする。
【０００９】
このパネル貫通型コネクタでは、請求項１の効果に加え、保持リブの先端側に、取付孔の開口縁部に係止される係止突起が設けられたことにより、パネルへの位置決めと組付けを１つの動作でできるので、取付作業を簡素化することができる。
【００１０】
請求項４の発明は、請求項３記載のパネル貫通型コネクタにおいて、前記係止突起の前記保持リブ基端側に付勢力調整部が設けられたことを特徴とする。
【００１１】
このパネル貫通型コネクタでは、請求項１〜請求項３の効果に加え、係止突起の保持リブ基端側に付勢力調整部が設けられたことにより、パネルに当該コネクタを取付ける際に要する力を位置決めをする際に要する力と同等にすることができる。
【００１２】
請求項５の発明は、請求項３、または請求項４に記載のパネル貫通型コネクタにおいて、前記保持リブを有する前記コネクタハウジングの前記パネルに対向する面に設置され、且つ前記開口縁部に前記係止突起が係止された状態で、該パネルに対向する面と該パネルとの間で狭持されるシール部が設けられたことを特徴とする。
【００１３】
このパネル貫通型コネクタでは、請求項３、請求項４の効果に加え、保持リブを有するコネクタハウジングのパネルに対向する面に設置されたシール部が、開口縁部に係止突起が係止された状態で、パネルに対向する面とパネルとの間で狭持されたことにより、シール部が十分な水密性を備えることができる締め代を安定して確保することができる。
【発明の効果】
【００１４】
以上説明したように、請求項１の発明によれば、雌コネクタと雄コネクタの少なくともどちらか一方の取付孔内周面に対向する外周面に可撓性を有する複数の保持リブが突設され、これら保持リブは外周面にコネクタの取付孔への挿入方向に沿って立設された基端部から取付孔内周面の周方向に沿って延設され、コネクタがパネルに取付けられた状態で取付孔内周面に保持リブが当設するように配設されたことにより、取付孔に当該コネクタを挿入することで当該コネクタの位置決めが行えるため、パネルへの位置決めを簡略化することができるとともに、取付孔に当該コネクタを挿入する際に要する力を最初から最後まで同等にすることができるので、取付け作業を簡素化することができる。
【００１５】
請求項２の発明によれば、請求項１の効果に加え、保持リブが外周面に等間隔で設けられたことにより、取付孔内周面に対して付勢保持される力がそれぞれ均一となるため、コネクタを取付孔に挿入することで取付孔に対してコネクタの中心出しができるので、パネルへのコネクタの位置決めをより確実に行うことができる。
【００１６】
請求項３の発明によれば、請求項１、請求項２の効果に加え、保持リブの先端側に、取付孔の開口縁部に係止される係止突起が設けられたことにより、パネルへの位置決めと組付けを１つの動作でできるので、取付作業を簡素化することができる。
【００１７】
請求項４の発明によれば、請求項１〜請求項３の効果に加え、係止突起の保持リブ基端側に付勢力調整部が設けられたことにより、パネルに当該コネクタを取付ける際に要する力を位置決めをする際に要する力と同等にすることができる。
【００１８】
請求項５の発明によれば、請求項３、請求項４の効果に加え、保持リブを有するコネクタハウジングのパネルに対向する面に設置されたシール部が、開口縁部に係止突起が係止された状態で、パネルに対向する面とパネルとの間で狭持されたことにより、シール部の反発力に抗しつつ保持リブが開口縁部に係止されるので、シール部が十分な水密性を備えることができる締め代を安定して確保することができる。
【発明を実施するための最良の形態】
【００１９】
以下、図面を参照して本発明のパネル貫通型コネクタ１の一実施形態を詳細に説明する。図１は本実施形態のパネル貫通型コネクタ１の雌コネクタ１０と、パネル貫通型コネクタ１が取付けられるパネル５０の様子を示した斜視図、図２は本実施形態のパネル貫通型コネクタ１の雌コネクタ１０の正面図、図３は雌コネクタ１０の上面図、図４は保持リブ１１を拡大した斜視図、図５は組付け前のパネル５０とパネル貫通型コネクタ１を示す側面図、図６は組付け後のパネル５０とパネル貫通型コネクタ１を示す側面図である。
【００２０】
図１〜図４に示されるように、本実施形態のパネル貫通型コネクタ１は、第１コネクタハウジングとしての雌コネクタ１０と第２コネクタハウジングとしての雄コネクタ（不図示）とから構成され、これら雌コネクタ１０、雄コネクタのそれぞれをパネル５０両面に配置し、パネル５０に設けられた取付孔５１を通じて雌コネクタ１０と雄コネクタの端子３１を連結するものである。
【００２１】
そして、この取付孔５１には、略円筒形状を備えた円環部５２が設けられており、円環部５２の内周に取付孔内周面としての円環部内周面５３が設けられている。
【００２２】
雌コネクタ１０と雄コネクタは、断面略円形形状を有し、且つパネル５０に対向する面としての連結面２０をともに備えている。
【００２３】
雌コネクタ１０はパネル５０に組付けられた状態で、雌コネクタ１０のパネル５０の裏面側５６から突出した部分と、連結面２０の外周縁周辺から連結面２０までとが、グロメット２２によって覆われている。また、グロメット２２の中で連結面２０の外周縁周辺から連結面２０を覆う部分にシール部としての環状リブ２１が設けられている。
【００２４】
この環状リブ２１は、ゴム材、およびエラストマーなどの弾力性を有し、且つ当接するパネル５０に密着することが可能な材質で成形されている。
【００２５】
また、環状リブ２１は、パネル貫通型コネクタ１がパネル５０に取付けられた状態で、取付孔５１の外側に位置しつつ、同心円状に二重の円を描くように形成されているとともに、先端に向かうにしたがって円の中心に近づくように形成されている。
【００２６】
また、雌コネクタ１０と雄コネクタは、それぞれの中心部分に端子収納部３０が形成され、雄コネクタの端子収納部に雌コネクタ１０の端子収納部３０が挿入されることで端子３１が連結される。
【００２７】
雌コネクタ１０の端子収納部３０は、連結面２０から突出し、取付孔５１に挿入可能に形成されている。また、円環部内周面５３に面した端子収納部３０の外周面３２には、ほぼ等間隔で３カ所に保持リブ１１が設けられている。
【００２８】
これら保持リブ１１は、可撓性を備えた素材によって、外周面３２に取付孔５１挿入方向に沿って延設され、且つ基端部１２から先端部１３に向かって、円環部内周面５３に沿いつつ、外周面３２から離れるように形成されている。そして、雌コネクタ１０がパネル５０に取付けられた状態で、保持リブ１１が円環部内周面５３に付勢保持される。
【００２９】
そして、保持リブ１１の先端部の外周側には、雌コネクタ１０がパネル５０に取付けられた状態で、円環部内周面５３に当接する内周面当接部１４が設けられている。
【００３０】
また、保持リブ１１の先端側には、雌コネクタ１０がパネル５０に取付けられた状態で、取付孔５１の開口縁部としての円環部５２の開口縁部５４に係止される係止突起１５が設けられている。さらに、係止突起１５の保持リブ１１基端側には、付勢力調整部としてのスリット１７が設けられている。
【００３１】
次に、雌コネクタ１０がパネル５０に取付けられる様子を示す。図１、図５、図６に示されるように、雌コネクタ１０は、パネル５０の円環部５２が設けられた面５５の裏面側５６に配置される。そして、取付孔５１に端子収納部３０先端を挿入する。このとき、保持リブ１１は撓み変形をしながら、内周面当接部１４が円環部内周面５３に当接しつつ、スライドする。
【００３２】
そして、取付孔５１に端子収納部３０がさらに挿入されると、保持リブ１１はスリット１７部分でさらに撓み、円環部内周面５３に当接している部位が、内周面当接部１４から係止突起１５に設けられた摺動斜面１６に移行する。
【００３３】
さらに、取付孔５１に端子収納部３０を挿入すると、環状リブ２１がパネル５０の裏面側に押付けられて、弾性変形する。そして、このままさらに端子収納部３０を挿入すると、円環部内周面５３が係止突起１５を乗り越え、円環部５２の開口縁部５４に係止突起１５が係止される。
【００３４】
円環部５２の開口縁部５４に係止突起１５が係止された状態で、保持リブ１１の反発力によって、内周面当接部１４が円環部内周面５３に付勢保持される。
【００３５】
端子収納部３０の外周面３２上に設けられた他の保持リブ１１も端子収納部３０が取付孔５１に挿入されることによって、同様に円環部５２の開口縁部５４に係止突起１５が係止され、内周面当接部１４が円環部内周面５３に付勢保持される。これにより、雌コネクタ１０が円環部内周面５３に接触しているのは内周面当接部１４のみとなり、雌コネクタ１０の位置決めが行なわれる。
【００３６】
そして、この雌コネクタ１０に雄コネクタが連結され、パネル貫通型コネクタ１がパネルに５０に位置決めされた状態で固定保持される。
【００３７】
また、パネル貫通型コネクタ１がパネルに５０に固定保持された状態で環状リブ２１は、連結面２０とパネル５０の裏面側５６との間で弾性変形しつつ、狭持される。このとき環状リブ２１の反発力に抗して開口縁部５４に係止突起１５が係止されているので、環状リブ２１がパネル５０の裏面側５６に密着している。これにより、雌コネクタ１０とパネル５０との間の水密性が確保されている。
【００３８】
以上、本実施形態のパネル貫通型コネクタ１では、雌コネクタ１０の円環部内周面５３に対向する外周面３２に、取付孔５１挿入方向に沿って延設され、且つ円環部内周面５３に沿って先端側が形成された可撓性を有する複数の保持リブ１１が突接され、パネル５０に取付けられた状態で、保持リブ１１が円環部内周面５３に付勢保持されたことにより、取付孔５１に雌コネクタ１０を挿入することで、雌コネクタ１０に位置決めを行えるため、パネルへの位置決めを簡略化することができるとともに、取付孔５１に雌コネクタ１０を挿入する際に要する力を最初から最後まで同等にすることができるので、取付け作業を簡素化することができる。
【００３９】
また、本実施形態のパネル貫通型コネクタ１では、保持リブ１１の先端側に、取付孔５１の開口縁部５４に係止される係止突起１５が設けられたことにより、パネル５０に位置決めと組付けを１つの動作でできるので、取付作業をさらに簡素化することができる。
【００４０】
さらに、本実施形態のパネル貫通型コネクタ１では、係止突起１５の保持リブ１１基端側に付勢力調整部１７が設けられたことにより、パネル５０に雌コネクタ１０を取付ける際に要する力を位置決めをする際に要する力と同等にすることができる。
【００４１】
そして、取付孔５１に円環部５２が設けられたことにより、取付孔５１周辺のパネル５０の機械的強度を低下させることなく、取付孔５１にパネル貫通型コネクタ１を取付けることができる。
【００４２】
また、保持リブ１１を有するコネクタハウジング１０のパネル５０に対向する面２０に設置された環状リブ２１が、開口縁部５４に係止突起１５が係止された状態で、パネル５０に対向する面２０とパネル５０との間で狭持されたことにより、環状リブ２１の反発力に抗しつつ保持リブ１１が開口縁部５４に係止されるので、環状リブ２１が十分な水密性を備えることができる締め代を安定して確保することができる。
【００４３】
なお、上記実施形態では、雌コネクタ１０の端子収納部３０の外周面３２に保持リブ１１が形成されているが、雄コネクタの端子収納部を取付孔５１に挿入可能に突出するように形成し、この端子収納部の外周面に保持リブを設けた場合にも同様の効果を得ることができる。
【図面の簡単な説明】
【００４４】
【図１】本実施形態のパネル貫通型コネクタの雌コネクタと、パネル貫通型コネクタが取付けられるパネルの様子を示した斜視図である。
【図２】本実施形態のパネル貫通型コネクタの雌コネクタの正面図である。
【図３】パネル貫通型コネクタを構成する雌コネクタの上面図である。
【図４】雌コネクタの保持リブを拡大した斜視図である。
【図５】組付け前のパネルとパネル雌コネクタを示す側面図である。
【図６】組付け後のパネルとパネル雌コネクタを示す側面図である。
【符号の説明】
【００４５】
１…パネル貫通型コネクタ
１１…保持リブ
１２…基端部
１５…係止突起
１７…スリット（付勢力調整部）
２０…連結面（パネルに対向する面）
２１…シール部
３２…外周面
５０…パネル
５１…取付孔
５３…円環部内周面（取付孔内周面）
５４…開口縁部
【図１】
2006073479.tif 000003
【図２】
2006073479.tif 000004
【図３】
2006073479.tif 000005
【図４】
2006073479.tif 000006
【図５】
2006073479.tif 000007
【図６】
2006073479.tif 000008